(57)【要約】【課題】  給電中に印刷要求が発生しても、印刷不良の発生を抑えながら給電制御を行うことを可能とする。【解決手段】  印刷装置（２００）は、電力を給電可能な第１の端子と、接続先の要求電力を取得可能な第２の端子と、ＧＮＤに接続されている第３の端子とを有するインターフェース手段と、接続装置に対して電力給電に関わる通信が可能な電力通信手段と、給電電力を検出する電力検出手段と、印刷を行う印刷手段と、印刷要求装置との通信を行う印刷要求通信手段と、受電装置へ給電中に印刷要求装置から印刷要求があった場合、受電装置との給電電力通信が確立した後、受電装置への供給電力が変化したことが確認されるまで、印刷を開始しないようにする印刷制御手段と、を有することを特徴とする。【選択図】  図２
2020028995.tif 000002
【特許請求の範囲】
【請求項１】
電力を給電可能な第１の端子と、接続先の要求電力を取得可能な第２の端子と、ＧＮＤに接続されている第３の端子とを有するインターフェース手段と、
接続装置に対して電力給電に関わる通信が可能な電力通信手段と、
給電電力を検出する電力検出手段と、
印刷を行う印刷手段と、
印刷要求装置との通信を行う印刷要求通信手段と、
受電装置へ給電中に印刷要求装置から印刷要求があった場合、受電装置との給電電力通信が確立した後、受電装置への供給電力が変化したことが確認されるまで、印刷を開始しないようにする印刷制御手段と、
を有することを特徴とする印刷装置。
【請求項２】
印刷が完了した後は、受電装置との給電電力通信を行い、印刷前の電力プロファイルを受電装置に提示することを特徴とする請求項１に記載の印刷装置。
【請求項３】
受電装置へ給電中に印刷要求装置から印刷要求があった場合、受電装置へ給電を続けても印刷可能な電力を印刷装置が獲得できる場合は、受電装置との給電電力通信は行わず、印刷を開始することを特徴とする請求項１に記載の印刷装置。
【請求項４】
印刷が完了した後の状態とは、印刷装置の電力が印刷中に対して変化していることを特徴とする請求項２に記載の印刷装置。
【発明の詳細な説明】
【技術分野】
【０００１】
本発明は、ＵＳＢ  Ｐｏｗｅｒ  Ｄｅｌｉｖｅｒｙ機能を有する印刷装置に関する。
【背景技術】
【０００２】
ＵＳＢ規格の一つであるＵＳＢ  Ｐｏｗｅｒ  Ｄｅｌｉｖｅｒｙ（以下、ＰＤ）では、最大１００Ｗまでの電力供給が可能で、一定以上の電力供給を行う場合に、給電装置（以下、ＤＦＰ）が供給できる電力プロファイルを受電装置（以下、ＵＦＰ）に提示され、ＰＤネゴシエーションを経てＤＦＰからＵＦＰに供給する電力が決まる。
【０００３】
図１を参照して、ＰＤネゴシエーションの流れの一例を説明する。時刻ｔ１で、印刷装置にＵＦＰが接続されると、ＣＣ端子が０Ｖ〜５Ｖの間の所定の電圧になる。ＣＣ端子が所定の電圧になると、ＤＦＰはＶＢＵＳ  ５Ｖを出力する（時刻ｔ２）。ＣＣ端子でのプロファイルに従い、時刻ｔ３において印刷装置は、ｓｏｕｒｃｅ  ｃａｐａｂｉｌｉｔｉｅｓをＵＦＰに提示する。ｓｏｕｒｃｅ  ｃａｐａｂｉｌｉｔｉｅｓは、ＤＦＰが供給できる電力プロファイルのことである。
【０００４】
時刻ｔ４で、ＵＦＰは、ｔ３での電力プロファイルの中から所望の電力プロファイルを選択し、ＤＦＰに対して欲しい電力プロファイルをリクエストする。時刻ｔ５で、ＤＦＰは、ＵＦＰから要求されたプロファイルの電力を供給可能な場合、ＡｃｃｅｐｔをＵＦＰに返し、電力を供給する準備を開始する。時刻ｔ６で、ＤＦＰは電力供給の準備ができると、ＰＳ  ＲＤＹ信号をＵＦＰに送り、ＵＦＰに供給する電力を変更し、ＵＦＰはＰＳ  ＲＤＹ信号を受けるとＤＦＰから電力を引き始める。
【０００５】
ＰＤ規格では、ＤＦＰはＵＦＰとＰＤネゴシエーションでＡｃｃｅｐｔした電力を提供し続ける必要があり、ＤＦＰが供給電力を変更する場合は、ＰＤネゴシエーションを再度行う必要がある。印刷装置の場合、印刷時と印刷待機時とで印刷装置自体が消費する電力が大きく異なる。コンパクトフォトプリンタ（以下、ＣＰプリンタ）の場合、印刷時は約６０Ｗ程度電力を消費するのに対して、印刷待機時は約５Ｗ程度しか電力を消費しない。
【０００６】
印刷装置がＤＦＰとなって電力をＵＦＰにＰＤ機能により供給する場合、印刷待機時はＵＦＰに十分な電力を供給できていても、印刷時には印刷電力を引いた電力しかＵＦＰに供給できなくなる課題がある。印刷装置が電源から受電している電力に対して、ＵＦＰへの給電電力と印刷電力の和の方が大きくなると、印刷できずに印刷不良になるか、ＵＦＰへの給電ができなくなる事態が発生する。
【０００７】
特許文献１には、給電電力と印刷電力の和が印刷装置の電源からの受電電力を超えてしまった場合の対策として、印刷ページ途中であっても定着ヒーターへの電力供給を即時停止して印刷を中断する方法が記載されている。そして、特許文献１では、プリント中のページの途中で定着ヒーターへの電力供給を即時停止した場合は、定着温度低下による該当ページの良不良を判定し、不良であれば該当のページを破棄することができる。
【先行技術文献】
【特許文献】
【０００８】
【特許文献１】特開２０１５−２１５５２３号公報
【発明の概要】
【発明が解決しようとする課題】
【０００９】
しかしながら、従来例では印刷不良が発生した場合には当該印刷ページを破棄することになり印刷無駄が発生する。
【００１０】
そこで、本発明は、ＰＤ機能を有する印刷装置において、ＵＦＰへ給電中に印刷要求が発生しても、印刷不良の発生を抑えながらＵＦＰへの給電制御を行うことを可能とすることを目的とする。
【課題を解決するための手段】
【００１１】
上記の目的を達成するために、本発明に係る印刷装置は、
電力を給電可能な第１の端子と、接続先の要求電力を取得可能な第２の端子と、ＧＮＤに接続されている第３の端子とを有するインターフェース手段と、接続装置に対して電力給電に関わる通信が可能な電力通信手段と、給電電力を検出する電力検出手段と、印刷を行う印刷手段と、印刷要求装置との通信を行う印刷要求通信手段と、受電装置へ給電中に印刷要求装置から印刷要求があった場合、受電装置との給電電力通信が確立した後、受電装置への供給電力が変化したことが確認されるまで、印刷を開始しないようにする印刷制御手段と、を有することを特徴とする。
【発明の効果】
【００１２】
本発明に係る印刷装置によれば、印刷装置がＵＦＰへ給電中に印刷要求があっても、ＰＤネゴシエーションを完了し、かつＵＦＰの実負荷が変化したことを確認してから印刷を開始する。そうすることで、印刷不良の発生を抑えながらＵＦＰへの給電制御を行うことができる。
【図面の簡単な説明】
【００１３】
【図１】実施形態１におけるＰＤネゴシエーションの流れの一例を示す図である。
【図２】実施形態１における印刷装置の構成例を示す図である。
【図３】実施形態１における制御フローの例を示す図である。
【図４】実施形態１における印刷要求発生時のＰＤネゴシエーションの流れの一例を示す図である。
【発明を実施するための形態】
【００１４】
以下、図面を参照して本発明の実施形態を説明する。ただし、本発明は以下の実施形態に限定されるものではない。
【００１５】
［実施形態１］
図２は、実施形態１における印刷装置２００の構成例を示す図である。
【００１６】
図２において、ＣＰＵ２０１は、印刷装置２００全体の制御を行う。ＲＡＭ２０２は、ＣＰＵ２０１のワークエリアや印刷データ処理用のメモリとして使用されるものである。ＲＯＭ２０３には、ＣＰＵ２０１による処理を実行させるためのプログラム等が記憶されており、例えばフラッシュメモリなどの書き換えが可能な不揮発性メモリで構成されている。操作入力部２０４は、不図示の操作ボタンから入力された操作情報をＣＰＵ２０１へ送る。
【００１７】
電源２０５は、印刷装置２００の動作用電源であり、ＡＣアダプタや電池が該当する。電源２０５は、ＡＣアダプタや電池以外に、ＰＤ機能による電力供給を併用しても構わない。外部Ｉ／Ｆ２０８は、ＵＳＢインターフェースに代表されるような外部インターフェースの制御部であり、外部Ｉ／Ｆコネクタ２１３を介して接続装置とのデータ通信やＰＤ電力給電などが行える構成になっている。
【００１８】
印刷制御部２０９は、印刷部２１２でデジタルデータをプリントするための制御を行う。無線通信部２１０は、ＷｉＦｉなどの無線通信により印刷データや印刷ステータスの送受信を行うインターフェースである。給電制御部２１１は、外部Ｉ／Ｆコネクタ２１３を介して、接続装置に対してＰＤ機能による電力供給を行うための給電制御および接続装置の実負荷を検出する負荷検出を行う。
【００１９】
図３は、実施形態１における印刷装置２００の制御フローの例を示す。
【００２０】
ステップＳ３０１では、印刷装置２００の外部Ｉ／Ｆコネクタ２１３にＰＤ機能を有した接続デバイス（以下、ＵＦＰ）が接続されたかを検出し、ＰＤ機能を有したＵＦＰが接続された場合はステップＳ３０３に進む。ＰＤ機能を有したＵＦＰが接続されていない場合は、ＰＤ機能を有したデバイスが接続されるまで何もしない。
【００２１】
ＰＤ機能を有したＵＦＰが接続された場合、ステップＳ３０３ではＵＦＰとＰＤネゴシエーションを行い、ＵＦＰへの供給電力を決定してステップＳ３０５に進む。ここでのＰＤネゴシエーションは、図１で説明したものと同様であるが、この段階ではＰＳ  ＲＤＹ信号はまだ発行しない。また、ステップＳ３０３では、印刷装置２００で印刷は行われておらず、印刷時に比べ給電できる電力に余裕があるため、ＵＦＰへ提示する電力プロファイルは、印刷待機中の印刷装置２００がＵＦＰへ供給可能な最大の電力を提示するものとする。
【００２２】
ステップＳ３０５では、ＰＤネゴシエーションで決定した電力に対して、印刷装置２００は、印刷時にも電力供給可能かを判定する。（印刷装置２００の受電電力）＞（印刷電力＋ＵＦＰへの供給電力）となる場合は、印刷中にステップＳ３０３での電力プロファイルでＵＦＰへの給電が可能となり、ステップＳ３０７に進む。（印刷装置２００の受電電力）＜（印刷電力＋ＵＦＰへの供給電力）となる場合は、印刷中にステップＳ３０３での電力プロファイルでＵＦＰへ給電が不可能となり、ステップＳ３０９に進む。
【００２３】
ステップＳ３０７では、ＲＡＭ２０２にフラグＡ＝０を記憶し、ステップＳ３１１に進む。
【００２４】
ステップＳ３０９では、ＲＡＭ２０２にフラグＡ＝１を記憶し、ステップＳ３１１に進む。
【００２５】
ステップＳ３１１において、印刷装置２００はＰＳ  ＲＤＹ信号を発行し、ＵＦＰに対してステップＳ３０３で決定した電力の供給を開始してステップＳ３１３に進む。
【００２６】
ステップＳ３１３では、印刷装置２００に対して不図示の外部装置から無線通信部２１０を介して印刷要求があるかを検出し、印刷要求がある場合はステップＳ３１５に進み、印刷要求がない場合は、ステップＳ３１７に進む。
【００２７】
印刷データはステップＳ３１３で印刷要求があった時点で受信しても良いし、ステップＳ３２７で印刷が開始される直前に受信してもよい。
【００２８】
ステップＳ３１７において、印刷装置２００はＵＦＰへの電力供給が継続される場合はステップＳ３１３に戻り、継続されない場合は、ステップＳ３０１に戻る。
【００２９】
ステップＳ３１５では、ＲＡＭ２０２のフラグＡの値を確認し、フラグＡ＝１である場合はステップＳ３１９に進み、フラグＡ＝０である場合はステップＳ３２３に進む。ＲＡＭ２０２においてフラグＡ＝１の場合、ステップＳ３１９でＵＦＰとＰＤネゴシエーションを行い、印刷装置２００は、印刷中でも供給可能な電力プロファイルをＵＦＰに提示する。印刷中に給電できない場合は、給電停止をＵＦＰに通知する。ＵＦＰは印刷装置２００から提示された電力プロファイルの中から受電電力を選択する。
【００３０】
ここで、図４を参照して、ステップＳ３１９のＰＤネゴシエーションの流れの一例を説明する。図４において、印刷装置２００はＵＦＰに対して電力プロファイルＡで電力を給電している。
【００３１】
時刻ｔ０において、不図示の外部装置から印刷装置２００に印刷要求が発生すると、印刷装置２００は、時刻ｔ１でｓｏｕｒｃｅ  ｃａｐａｂｉｌｉｔｉｅｓをＵＦＰに提示する。
【００３２】
時刻ｔ２で、ＵＦＰは、ｔ１での電力プロファイルの中から所望の電力プロファイルを選択し、印刷装置２００に対して欲しい電力プロファイルをリクエストする。
【００３３】
時刻ｔ３で、印刷装置２００は、ＵＦＰから要求されたプロファイルの電力を供給可能な場合、ＡｃｃｅｐｔをＵＦＰに返し、電力を供給する準備を開始する。
【００３４】
時刻ｔ４で、印刷装置２００は電力供給の準備ができると、ＰＳ  ＲＤＹ信号をＵＦＰに送り、ＵＦＰに供給する電力を変更する。ＵＦＰはＰＳ  ＲＤＹ信号を受けると、印刷装置２００から電力プロファイルＢの電力を引き始める。
【００３５】
時刻ｔ４において、印刷装置２００は、給電制御部２１１でＵＦＰの実負荷を検出する負荷検出を開始する。負荷検出方法は、例えば電源ラインに抵抗成分を設け、抵抗間の電位差を確認することでＵＦＰの負荷を検出しても良い。
【００３６】
ＵＦＰの負荷が電力プロファイルＢに変更されたことを給電制御部２１１で検出すると（時刻ｔ５、図３のステップＳ３２１）、印刷装置２００は時刻ｔ６から印刷を開始し（図３のステップＳ３２３）、ステップＳ３２５に進む。
【００３７】
ステップＳ３２５で印刷が完了すると、ステップＳ３２７に進み、印刷装置２００はフラグＡの値を確認する。フラグＡ＝０の場合はステップＳ３１３に戻り不図示の外部装置から印刷要求があるかを確認し、フラグＡ＝１の場合はステップＳ３０３に戻る。ステップＳ３０３に戻ると、印刷が行われておらず給電電力に余力ができるため、印刷装置２００はＵＦＰとＰＤネゴシエーションを行い、印刷前に供給していた電力を給電できることをＵＦＰに提示する。
【００３８】
以上説明したように、実施形態１によれば、印刷装置２００がＵＦＰへ給電中に外部装置からの印刷要求があった場合、ＵＦＰの負荷が実際に変更されたことを給電制御部２１１において検出後、印刷を開始する。
【００３９】
このようにすることによって、印刷を開始した際にＵＦＰへＰＤネゴシエーションで決定した電力を供給できない状況を回避し、かつ、印刷中に印刷電力が足りなくなることでの印刷不良の発生を抑えることができる。
【００４０】
なお、本発明の実施形態は上述の実施形態１に限定されるものではない。発明の要旨を逸脱しない範囲で変更または修正された実施形態１も本発明の実施形態に含まれる。
【符号の説明】
【００４１】
２００  印刷装置、２０１  ＣＰＵ、２０２  ＲＡＭ、２０３  ＲＯＭ、
２０４  操作入力部、２０５  電源、２０８  外部Ｉ／Ｆ、２０９  印刷制御部、
２１０  無線通信部、２１１  給電制御部、２１２  印刷部、
２１３  外部Ｉ／Ｆコネクタ
【図１】
2020028995.tif 000003
【図２】
2020028995.tif 000004
【図３】
2020028995.tif 000005
【図４】
2020028995.tif 000006